(57)【要約】【課題】取付対象物に対する取り付けに利用される取付形状を有していても、取付位置から曲げ位置までの幅を短くすることが可能な曲げ配管、曲げ配管接合体および給湯装置を提供する。【解決手段】取付円筒部分５１に取り付けられるＬ型配管６０であって、接続配管部分６１と、連絡配管部分６２と、曲げ部分８０とを備えている。連絡配管部分６２は、接続配管部分６１の延びる方向とは異なる方向に延びている。曲げ部分８０は、接続配管部分６１と連絡配管部分６２とを繋ぎ、取付円筒部分５１に対して取り付けるために利用される曲げ接続縁部８７を有している。【選択図】図９
2010071629.tif 000002
【特許請求の範囲】
【請求項１】
取付対象物に取り付けられる曲げ配管（６０）であって、
第１部分（６１）と、
前記第１部分の延びる方向とは異なる方向に延びている第２部分（６２）と、
前記第１部分と第２部分とを繋ぎ、前記取付対象物に対して取り付けるために利用される取付形状を有している曲げ部分（８０）と、
を備えた曲げ配管（６０）。
【請求項２】
前記第１部分および前記第２部分には、前記取付対象物に対して取り付けるために利用される形状が形成されていない、
請求項１に記載の曲げ配管。
【請求項３】
前記第２部分は、略円筒形状である、
請求項１または２に記載の曲げ配管。
【請求項４】
前記曲げ部分の取付形状は、前記第１部分が延びている方向における前記第２部分の幅の内側に収まる位置に形成されている、
請求項１から３のいずれか１項に記載の曲げ配管。
【請求項５】
前記曲げ部分の取付形状は、外側表面に形成されている、
請求項１から４のいずれか１項に記載の曲げ配管。
【請求項６】
前記曲げ部分の取付形状は、前記第１部分の延びる方向から見た場合に、前記第１部分の外縁形状の外側に突出した凸部（８７）を有している、
請求項１から５のいずれか１項に記載の曲げ配管。
【請求項７】
前記第１部分は、略円筒形状であり、
前記凸部（８７）は、前記第１部分の延びる方向から見た場合に、前記第１部分の外縁のうち前記第２部分と重なる部分を除いた部分を縁取るように形成されている、
請求項６に記載の曲げ配管。
【請求項８】
前記第２部分の延びる方向と前記第１部分の延びる方向とがなす角度は、略９０度である、
請求項１から７のいずれか１項に記載の曲げ配管。
【請求項９】
請求項１から８のいずれか１項に記載の曲げ配管（６０）と、
前記取付対象物（５０）の少なくとも一部である被取付形状（５７）と、前記取付形状（８７）と、を接合させる接合部材（７０）と、
を備えた曲げ配管接合体（６０，７０）。
【請求項１０】
前記接合部材は、前記取付対象物に対して前記曲げ配管が取り付けられた状態で、前記第１配管の伸びる方向から見た場合に、前記第２配管が伸びている側を上側とする略Ｕ字形状となっており、
前記略Ｕ字形状の一端と他端との距離が広がるように弾性変形することで、前記曲げ部分および前記取付対象物を外側から狭持する、
請求項９に記載の曲げ配管接合体。
【請求項１１】
前記接合部材のうち少なくとも前記曲げ配管を外側から狭持するために前記曲げ配管に接触している接合接触部分（７１、７２）、および、前記曲げ配管のうち少なくとも前記接合接触部分が接触している曲げ接触部分（８１、８２）は、
前記接合部材が弾性変形していない状態から弾性変形している状態への変形時の軌道面に対して略垂直な方向に広がっている面形状となっている、
請求項１０に記載の曲げ配管接合体。
【請求項１２】
前記第２部分は、前記第２部分の延びる方向から見た場合の外縁が、略円弧形状である、
請求項１１に記載の曲げ配管接合体。
【請求項１３】
前記接合部材は、前記取付対象物と前記曲げ配管とを接合した状態で、前記第１部分が延びている向きとは反対側に向けて前記曲げ部分の前記取付形状が移動すること、を規制しており、
前記曲げ配管の前記曲げ部分は、前記取付形状に対して前記第１部分が延びている側とは反対側において、外側に突出して前記接合部材の内側に接している突出部分（８５）と、前記突起部分（８５）と前記取付形状（８７）との間で内側に窪んで前記接合部材とは接触しない窪み部分（８６）と、を有している、
請求項１０から１２のいずれか１項に記載の曲げ配管接合体。
【請求項１４】
前記接合部材は、前記取付対象物と前記曲げ配管とを接合した状態で、前記第１部材が延びる方向から見た場合に、少なくとも内側が略円弧形状となっている部分を有しており、
前記接合部材の略円弧形状の部分の内径／前記接合部材の略円弧形状の部分のうち前記略Ｕ字形状における上側の両端部間の距離の値が、１．６〜１．８である、
請求項１３に記載の曲げ配管接合体。
【請求項１５】
前記接合部材は、前記取付対象物と前記曲げ配管とを接合した状態で、前記第１部分の延びる方向における幅が、前記第１部分が延びている方向における前記第２部分の幅の内側に収まる位置に配置されている、
請求項９から１４のいずれか１項に記載の曲げ配管接合体。
【請求項１６】
前記取付形状は、前記第１部分の延びる方向から見た場合の外縁が略円弧形状であり、前記略円弧形状の少なくとも一部が径方向外側に向けて膨出した膨出部分（８９）を有しており、
前記接合部材は、
前記取付対象物と前記曲げ配管とを接合した状態で、前記第１部分の延びる方向から見た場合に、
前記膨出部分（８９）の径方向外側端部よりも径方向内側に位置する部分を有しており、前記膨出部分を径方向外側から覆っている接合包囲部（７９）を有している、
請求項９から１５のいずれか１項に記載の曲げ配管接合体。
【請求項１７】
請求項１から８のいずれか１項に記載の曲げ配管（６０）と、
前記取付対象物（５０）であって、被取付形状（５７）を有し、水を溜めることが可能なタンク（３０）と、
前記取付形状（８７）と、前記被取付形状（５７）と、を接合させる接合部材（７０）と、
を備えた給湯装置（１）。
【発明の詳細な説明】
【技術分野】
【０００１】
本発明は、曲げ配管、曲げ配管接合体および給湯装置に関する。
【背景技術】
【０００２】
従来より、お湯を使用する前段階から、予め貯湯タンクにお湯を用意しておくタイプの給湯装置では、お湯を溜めておくための貯湯タンクが大きくなりがちであるため、給湯装置の小型化が望まれている。
【０００３】
一方、貯湯タンクと配管の接続構造については、製品の組立性およびサービス時の部品交換の作業性等の観点から、容易に脱着できる構造であることが望まれている。そして、このような配管の接続構造の一例としては、例えば、以下の特許文献１に示す配管の接続構造がある。この特許文献１では、ヘッダー配管と、ヘッダー配管から分岐する分岐配管と、が設けられており、ヘッダー配管と分岐配管との接続構造を回転自在としたことにより、設置場所の制約を受けにくい構造とした技術が提案されている。
【特許文献１】特開２００２−８９７６９号公報
【発明の開示】
【発明が解決しようとする課題】
【０００４】
しかし、上記特許文献１に記載の配管固定構造では、ヘッダー配管に径方向外側に延びた凸部と、分岐配管の径方向外側に延びた凸部と、を接続方向から狭持する固定具を用いることで固定されている。このため、接続配管を曲げる構造を採用しようとする場合には、この固定部分を超える前の部分からは曲げられずに、この固定部分を超えた部分から曲げる必要が生じている。
【０００５】
このため、接続配管の取り付け位置から曲げ部分までの距離には、固定部分の幅を確保する必要があるため、取り付け位置と曲げ部分との距離を確保して設計する必要があり、設置スペースを狭小化させることができない。
【０００６】
本発明は上述した点に鑑みてなされたものであり、本発明の課題は、取付対象物に対する取り付けに利用される取付形状を有していても、取付位置から曲げ位置までの幅を短くすることが可能な曲げ配管、曲げ配管接合体および給湯装置を提供することにある。
【課題を解決するための手段】
【０００７】
第１発明の曲げ配管は、取付対象物に取り付けられる曲げ配管であって、第１部分と、第２部分と、曲げ部分とを備えている。第２部分は、第１部分の延びる方向とは異なる方向に延びている。曲げ部分は、第１部分と第２部分とを繋ぎ、取付対象物に対して取り付けるために利用される取付形状を有している。
【０００８】
この曲げ配管は、取付対象物に対する取り付けに利用される取付形状を有していても、取付位置から曲げ位置までの幅を短くすることが可能になる。
【０００９】
第２発明の曲げ配管は、第１発明の曲げ配管において、第１部分および第２部分には、取付対象物に対して取り付けるために利用される形状が形成されていない。
【００１０】
この曲げ配管は、第１部分に取り付け用の形状が設けられていないため、第１部分の長さを短く抑えることができる。そして、第２部分においても取り付け用の形状が設けられていないため、第２部分の外縁形状が大きくなることを避けることができる。これにより、曲げ配管が取付対象物に取り付けられた状態での第１方向の幅を短くすることができる。
【００１１】
第３発明の曲げ配管は、第１発明または第２発明の曲げ配管において、第２部分は、略円筒形状である。
【００１２】
この曲げ配管は、耐圧強度を増大させることができる。
【００１３】
第４発明の曲げ配管は、第１発明から第３発明のいずれかの曲げ配管において、曲げ部分の取付形状は、第１部分が延びている方向における第２部分の幅の内側に収まる位置に形成されている。
【００１４】
この曲げ配管は、取付形状が、第１部分が延びている方向における第２部分の幅の内側に収まる位置に形成されている場合には、曲げ配管が取付対象物に取り付けられた状態において第１部分が延びる方向における寸法に対する取付形状の影響を無くすることができる。
【００１５】
第５発明の曲げ配管は、第１発明から第４発明のいずれかの曲げ配管において、曲げ部分の取付形状は、外側表面に形成されている。
【００１６】
この曲げ配管は、取付対象物に対する曲げ配管の取り付けを外側から行うことが可能になる。
【００１７】
第６発明の曲げ配管は、第１発明から第５発明のいずれかの曲げ配管において、曲げ部分の取付形状は、第１部分の延びる方向から見た場合に、第１部分の外縁形状の外側に突出した凸部を有している。
【００１８】
この曲げ配管は、取付対象物に曲げ配管が取り付けられた場合に、曲げ配管が第１部分の延びる方向に向けてはずれてしまうことがないように、凸部を用いて第１部分の延びる方向に対する取り付けを安定化させることが可能になる。
【００１９】
第７発明の曲げ配管は、第６発明の曲げ配管において、第１部分は、略円筒形状である。凸部は、第１部分の延びる方向から見た場合に、第１部分の外縁のうち第２部分と重なる部分を除いた部分を縁取るように形成されている。
【００２０】
この曲げ配管は、取付対象物に対する取り付けに用いる取付形状が、第１部分の延びる方向から見た場合に、第１部分の外縁のうち第２部分と重なる部分を除いた部分を縁取るように大きく形成されているため、取付対象物に対する取り付けを安定化させることが可能になる。
【００２１】
第８発明の曲げ配管は、第１発明から第７発明のいずれかの曲げ配管において、第２部分の延びる方向と第１部分の延びる方向とがなす角度は、略９０度である。
【００２２】
この曲げ配管は、第１部分と第２部分とのなす角度が略９０度であるため、曲げ配管が取付対象物に取り付けられた状態での第１部分の延びる方向の幅を短くすることが可能になる。
【００２３】
第９発明の配管接合体は、第１発明から第８発明のいずれかの曲げ配管と、接合部材とを備えている。接合部材は、取付対象物の少なくとも一部である被取付形状と、取付形状と、を接合させる。
【００２４】
この配管接合体は、接合に必要な形状をコンパクト化させることができる。
【００２５】
第１０発明の配管接合体は、第９発明の配管接合体において、接合部材は、取付対象物に対して曲げ配管が取り付けられた状態で、第１配管の伸びる方向から見た場合に、第２配管が伸びている側を上側とする略Ｕ字形状となっている。略Ｕ字形状の一端と他端との距離が広がるように弾性変形することで、曲げ部分および取付対象物を外側から狭持する。
【００２６】
この配管接合体は、略Ｕ字形状であるため曲げ配管が取付対象物に取り付けられた後から両部材の接合を行うことができ、弾性変形によって取付を安定化させることが可能になる。
【００２７】
第１１発明の配管接合体は、第１０発明の配管接合体において、接合部材のうち少なくとも曲げ配管を外側から狭持するために曲げ配管に接触している接合接触部分、および、曲げ配管のうち少なくとも接合接触部分が接触している曲げ接触部分は、接合部材が弾性変形していない状態から弾性変形している状態への変形時の軌道面に対して略垂直な方向に広がっている面形状となっている。
【００２８】
この配管接合体は、接合部材が曲げ配管および取付対象物を接合させている状態において、接合部材の接合接触部分と曲げ配管の曲げ接触部分とが面平行の状態で接触している。このため、接触面積を広く確保でき、接合部材と曲げ配管との接合位置のずれを抑制させることが可能になる。
【００２９】
第１２発明の配管接合体は、第１１発明の配管接合体において、第２部分は、第２部分の延びる方向から見た場合の外縁が、略円弧形状である。
【００３０】
この配管接合体は、第２部分は、他の部分が略円筒形状となっているので、耐圧強度を確保させることができている。そして、このように曲げ配管の第２部分の延びる方向から見て第２部分の外縁が略円弧形状であったとしても、第２部分の外縁の略円弧形状の部分に沿って接合部材の接合位置がずれてしまう、ということを抑制させることができる。したがって、接合部材と曲げ配管との接合位置のずれを抑制しつつ耐圧強度を確保させることが可能になる。
【００３１】
第１３発明の配管接合体は、第１０発明から第１２発明のいずれかの配管接合体において、接合部材は、取付対象物と曲げ配管とを接合した状態で、第１部分が延びている向きとは反対側に向けて曲げ部分の取付形状が移動すること、を規制している。曲げ配管の曲げ部分は、取付形状に対して第１部分が延びている側とは反対側において、外側に突出して接合部材の内側に接している突出部分と、突起部分と取付形状との間で内側に窪んで接合部材とは接触しない窪み部分と、を有している。
【００３２】
この配管接合体は、接合部材は、曲げ配管の曲げ部分のうち、突出部分の径方向外側の部分と取付形状の径方向外側の部分とに接触させることで位置決めを行うことができる。すなわち、第１部分が延びる方向から見た場合の接合部材と曲げ配管との配置関係は、接合部材の径方向内側の一部と曲げ配管の突出部分の径方向外側の一部とが接触することにより定めることができる。さらに、第１部材が延びる方向における接合部材と曲げ配管との配置関係は、接合部材の一部と曲げ配管の取付形状とが接触することで定まっている。これにより、曲げ配管に対する接合部材の位置決めを安定化させることができる。
【００３３】
第１４発明の配管接合体は、第１３発明の配管接合体において、接合部材は、取付対象物と曲げ配管とを接合した状態で、第１部材が延びる方向から見た場合に、少なくとも内側が略円弧形状となっている部分を有している。接合部材の略円弧形状の部分の内径／接合部材の略円弧形状の部分のうち略Ｕ字形状における上側の両端部間の距離の値が、１．６〜１．８である。
【００３４】
この配管接合体は、接合部材が曲げ配管と取付対象物とをより安定的に接合させることが可能になる。
【００３５】
第１５発明の配管接合体は、第９発明から第１４発明のいずれかの配管接合体において、接合部材は、取付対象物と曲げ配管とを接合した状態で、第１部分の延びる方向における幅が、第１部分が延びている方向における第２部分の幅の内側に収まる位置に配置されている。
【００３６】
この配管接合体は、接合部材が、第１部分が延びている方向における第２部分の幅の内側に収まる位置に配置されているために、曲げ配管が取付対象物に取り付けられた状態において第１部分が延びる方向における寸法に対する接合部材の影響を無くすることができる。
【００３７】
第１６発明の配管接合体は、第９発明から第１５発明のいずれかの配管接合体において、取付形状は、第１部分の延びる方向から見た場合の外縁が略円弧形状であり、略円弧形状の少なくとも一部が径方向外側に向けて膨出した膨出部分を有している。接合部材は、取付対象物と曲げ配管とを接合した状態で、第１部分の延びる方向から見た場合に、膨出部分の径方向外側端部よりも径方向内側に位置する部分を有しており、膨出部分を径方向外側から覆っている接合包囲部を有している。
【００３８】
この配管接合体は、接合部材が、取付形状の膨出部分を径方向外側から覆っているため取付対象物と曲げ配管とを接合した状態において、第１部分の延びる方向から見た場合の取付形状の外縁が略円弧形状であったとしても、接合部材の回転を抑制させることが可能になる。
【００３９】
第１７発明の給湯装置は、第１発明から第８発明のいずれかの曲げ配管と、タンクと、接合部材とを備えている。タンクは、曲げ配管の取付対象物であって、被取付形状を有し、水を溜めることが可能である。接合部材は、取付形状と、被取付形状と、を接合させる。
【００４０】
この給湯装置は、コンパクト化を図ることができる。
【発明の効果】
【００４１】
第１発明の曲げ配管では、取付位置から曲げ位置までの幅を短くすることが可能になる。
【００４２】
第２発明の曲げ配管では、曲げ配管が取付対象物に取り付けられた状態での第１方向の幅を短くすることができる。
【００４３】
第３発明の曲げ配管では、耐圧強度を増大させることができる。
【００４４】
第４発明の曲げ配管では、曲げ配管が取付対象物に取り付けられた状態において第１部分が延びる方向における寸法に対する取付形状の影響を無くすることができる。
【００４５】
第５発明の曲げ配管では、取付対象物に対する曲げ配管の取り付けを外側から行うことが可能になる。
【００４６】
第６発明の曲げ配管では、曲げ配管が第１部分の延びる方向に向けてはずれてしまうことがないように、取付けを安定化させることが可能になる。
【００４７】
第７発明の曲げ配管では、取付対象物に対する取り付けを安定化させることが可能になる。
【００４８】
第８発明の曲げ配管では、曲げ配管が取付対象物に取り付けられた状態での第１部分の延びる方向の幅を短くすることが可能になる。
【００４９】
第９発明の配管接合体では、接合に必要な形状をコンパクト化させることができる。
【００５０】
第１０発明の配管接合体では、弾性変形によって取付を安定化させることが可能になる。
【００５１】
第１１発明の配管接合体では、接触面積を広く確保でき、接合部材と曲げ配管との接合位置のずれを抑制させることが可能になる。
【００５２】
第１２発明の配管接合体では、接合部材と曲げ配管との接合位置のずれを抑制しつつ耐圧強度を確保させることが可能になる。
【００５３】
第１３発明の配管接合体では、曲げ配管に対する接合部材の位置決めを安定化させることができる。
【００５４】
第１４発明の配管接合体では、接合部材が曲げ配管と取付対象物とをより安定的に接合させることが可能になる。
【００５５】
第１５発明の配管接合体では、第１部分が延びる方向における寸法に対する接合部材の影響を無くすることができる。
【００５６】
第１６発明の配管接合体では、接合部材の回転を抑制させることが可能になる。
【００５７】
第１７発明の給湯装置では、コンパクト化を図ることができる。
【発明を実施するための最良の形態】
【００５８】
以下、図面に基づいて、本発明の一実施形態であるコンパクト取付形状が採用されたＬ型配管６０を備える給湯装置１について説明する。
【００５９】
＜給湯装置の概略構成＞
図１に、給湯装置１の概略外観斜視図を示す。図２に、貯湯ユニット３の正面図を示す。図３に、貯湯ユニット３の側面図を示す。図４に、貯湯ユニット３の大きさに関する概略上断面を示す。図５に、ヒートポンプユニット２の正面図を示す。図６に、ヒートポンプユニット２の側面図を示す。
【００６０】
給湯装置１は、お湯をたくわえる貯湯ユニット３と、水を加熱させるための冷媒回路を有するヒートポンプユニット２とを備えている。
【００６１】
貯湯ユニット３は、設置に要するスペースを狭小化させるために、図４に示すように、縦が５６０ｍｍ、横が４３０ｍｍの筐体を有している。この筐体の内部には、１８０リットルの水／お湯を蓄えることができる貯湯タンク３０が収容されている。
【００６２】
ヒートポンプユニット２は、冷媒回路を用いて、貯湯ユニット２に蓄える水との熱交換によってお湯を作り出す。
【００６３】
＜貯湯ユニットの概略構成＞
図７に、貯湯ユニット３の内部に収容されているタンクユニット４の外観斜視図を示す。図８に、貯湯ユニット３の内部構成部品の分解斜視図を示す。
【００６４】
タンクユニット４は、貯湯ユニット３から筐体を取り除いた組み立て体であって、主として、貯湯タンク３０、配管４０、断熱材４１〜４５、筐体３１〜３５および電装品ユニット９５等を有している。
【００６５】
貯湯タンク３０は、貯湯ユニット２の設置スペースを狭小化させるために、上面視断面形状の面積が小さくなるように設計されつつ、鉛直方向の幅が水平方向の幅よりも長くなるように設計されており、上端近傍から上方に延びる取付対象配管５０を有している。
【００６６】
配管４０は、貯湯タンク３０との接合に用いられているＬ型配管６０を有している。
【００６７】
断熱材は、第１側面断熱部４１、第２側面断熱部４２、底面断熱部４３、上面断熱部４４、上蓋断熱部４５を有しており、これらによって、貯湯タンク３０の外周を覆い断熱する。
【００６８】
筐体は、天板３１、第１側板３４、第２側板３５、フロントパネル３３、および、支持土台３２を有している。フロントパネル３３には、コントローラ開口３３ａ、コントローラ窓３３ｂ、給水口などが取り付けられたりする給水パネル３３ｃ、３３ｄが、下方に設けられている。
【００６９】
電装品ユニット９５は、各種機器の制御を行う。
【００７０】
＜Ｌ型配管の配置＞
図９に、Ｌ型配管６０が貯湯タンク３０に取り付けられている状態での側面図を示す。図１０に、Ｌ型配管６０が貯湯タンク３０に取り付けられている状態での上面図を示す。
【００７１】
Ｌ型配管６０は、貯湯タンク３０の上端近傍に取り付けられており、タンクユニット４の中で、鉛直方向上側の端部を構成する位置に配置されている。
【００７２】
なお、以下、図９に示すように、取付円筒部分５１や接続配管部分６１が延びている方向である略鉛直方向を第１方向Ｌ１ということがある。また、連絡配管部分６２が延びている方向を第２方向Ｌ２ということがある。
【００７３】
＜取付対象配管５０の概略構成＞
図１１に、取付対象配管５０の形状についての側面図を示す。
【００７４】
取付対象配管５０は、取付円筒部分５１と、取付接続縁部５７を有している。
【００７５】
取付円筒部分５１は、貯湯タンク３０の上端近傍から上方に向けて延びており、軸方向が鉛直方向である円筒形状の配管である。
【００７６】
取付接続縁部５７は、取付円筒部分５１の上端において、径方向外側に向けて取付円筒部分５１の外側に延びて形成されている。この取付接続縁部５７は、第１方向Ｌ１から見た場合に、外縁が円弧形状となっている。
【００７７】
＜Ｌ型配管６０の概略構成＞
図１２に、Ｌ型配管の側面図を示す。図１３に、Ｌ型配管の上面図を示す。図１４に、Ｌ型配管の側面視断面図を示す。図１５、図１３に示すＡ−Ａ断面における側面視断面図を示す。図１６に、図１５におけるＢ部分の部分拡大図を示す。
【００７８】
Ｌ型配管６０は、貯湯タンク３０のお湯もしくは水を通過させる配管であって、ＰＰＳ（ポリフェニレンスルファイド）等の樹脂によって成形されており、樹脂接続配管部分６１、連絡配管部分６２および曲げ部分８０によって構成されている。
【００７９】
接続配管部分６１は、図１２中、Ｙ−Ｙラインで示す部分から下方に位置している部分であり、上述した取付対象配管５０と接合される際に、取付円筒部分５１の径方向内側に位置する部分である。この接続配管部分６１は、軸方向を第１方向Ｌ１とする略円筒形状である。
【００８０】
連絡配管部分６２は、図１２中、Ｘ−Ｘラインで示す部分から左側に位置している部分である。連絡配管部分６２は、第２方向Ｌ２を軸方向とする略円筒形状である。この連絡配管部分６２は、軸方向が、接続配管部分６１の軸方向に対して、略９０度の角度で折れ曲がっている。
【００８１】
曲げ部分８０は、図１２中、Ｘ−Ｘラインで示す部分とＹ−Ｙラインで示す部分との間に位置しており、接続配管部分６１と連絡配管部分６２とを繋ぐ部分であり、第１平面部分８１、第２平面部分８２、水平位置決め部分８５、窪み部分８６、曲げ接続縁部８７および曲げ突起部分８９を有している。以下、「曲げ径方向」とは、曲げ部分８０のうち水平方向を軸方向とする円の径方向を意味するものとする。
【００８２】
第１平面部分８１は、第１方向Ｌ１および第２方向Ｌ２に広がる面であり、後述するクイックファスナー７０の第１狭持部分７１が曲げ径方向外側から当接する部分である。
【００８３】
第２平面部分８２は、第１方向Ｌ１および第２方向Ｌ２に広がる面であり、後述するクイックファスナー７０の第２狭持部分７２が曲げ径方向外側から当接する部分である。
【００８４】
水平位置決め部分８５は、図１５、図１６に示すように、曲げ径方向外側に向けて突出した形状を有している。そして、この水平位置決め部分８５の曲げ径方向外側端部は、後述するクイックファスナー７０の内側と接する部分である。
【００８５】
曲げ接続縁部８７は、図１５および図１６に示すように、曲げ径方向外側に向けて、水平位置決め部分８５よりもさらに突出した形状を有している。そして、この曲げ接続縁部８７のうち水平位置決め部分８５の曲げ径方向外縁よりもさらに外側に位置している部分は、後述するクイックファスナー７０の第１開口７７および第２開口７８を通じてクイックファスナー７０の板厚方向に貫通する部分である。なお、接続配管部分６１や連絡配管部分６２には、曲げ部分８０の曲げ接続縁部８７に相当するような各配管の径方向外側に突出した部分は形成されていない。
【００８６】
窪み部分８６は、図１５および図１６に示すように、第１方向Ｌ１において、水平位置決め部分８５と曲げ接続縁部８７との間に位置しており、曲げ径方向の外縁が水平位置決め部分８５および曲げ接続縁部８７のいずれよりも曲げ径方向内側に位置するように形成されている。
【００８７】
曲げ突起部分８９は、図１４に示すように、水平位置決め部分８５および窪み部分８６のうち、第２方向Ｌ２の連絡配管部分６２側とは反対側の部分が、曲げ接続縁部８７の曲げ径方向外側端部と同じ位置まで延びて形成されている部分である。この曲げ突起部分８９は、後述するクイックファスナー７０の包囲形状部分７９によって包囲される。
【００８８】
なお、曲げ接続縁部８７、窪み部分８６、水平位置決め部分８５および曲げ突起部分８９の第１方向Ｌ１における位置は、曲げ部分８０の上端から下端までの間に収まっている。
【００８９】
＜クイックファスナー７０の概略構成＞
図１７に、クイックファスナーの外観斜視図を示す。図１８に、クイックファスナーの側面図を示す。図１９に、クイックファスナーの上面図を示す。
【００９０】
クイックファスナー７０は、図１９に示すように、上面視略Ｕ字形状の板状金属製部材であって、上述したＬ型配管６０の曲げ部分８０を曲げ径方向外側から狭持する部材であり、第１狭持部分７１、第２狭持部分７２、第１円弧部分７３、第２円弧部分７４、第１ガイド７５、第２ガイド７６、第１開口７７、第２開口７８および包囲形状部分７９を有している。また、このクイックファスナー７０は、上面視略Ｕ字形状であって、その一部が円弧状の一部をなす形状となっている。この略Ｕ字形状の一部であって円弧状をなしている部分の円弧のことを、以下、「Ｕ字円弧」ということがある。
【００９１】
第１円弧部分７３は、略Ｕ字形状のＵ字のうちの下部分と上方一端部分との間で、他端側とは離れる方向に膨出して形成されており、この膨出部分が円弧の一部となっている。
【００９２】
第２円弧部分７４は、略Ｕ字形状のＵ字のうちの下部分と上方他端部分との間で、一端側とは離れる方向に膨出して形成されており、この膨出部分が第１円弧部分７３の円弧と同一円の円弧の一部となっている。
【００９３】
第１狭持部分７１は、第１円弧部分７３のうち、略Ｕ字形状のＵ字のうちの上端部を構成している。
【００９４】
第２狭持部分７２は、第２円弧部分７２のうち、略Ｕ字形状のＵ字のうちの上端部を構成している。
【００９５】
第１ガイド７５は、略Ｕ字形状のＵ字のうちの第１狭持部分７１より上側においてＵ字円弧の円心から離れる方向に向けて延びている。
【００９６】
第２ガイド７６は、略Ｕ字形状のＵ字のうちの第２狭持部分７２より上側においてＵ字円弧の円心から離れる方向に向けて延びている。
【００９７】
包囲形状部分７９は、略Ｕ字形状のＵ字の下部分の一部がさらに下方に膨出した形状を有している。
【００９８】
第１開口７７は、図１７および図１８において示すように、包囲形状部分７９の一部と、第１円弧部分７３、第１狭持部分７１および第１ガイド７５の一部において連なるように板厚方向に貫通している開口である。
【００９９】
第２開口７８は、図１７および図１８において示すように、包囲形状部分７９の一部と、第２円弧部分７４、第２狭持部分７２および第２ガイド７６の一部において連なるように板厚方向に貫通している開口である。
【０１００】
なお、クイックファスナー７０のうち、第１円弧部分７３の内側から第２円弧部分７２の内側までの直線距離である内径／第１狭持部分７１から第２狭持部分７２までの直線の値は、１．６〜１．８となるように設計されている。
【０１０１】
＜クイックファスナー７０による配管接合状態＞
図２０に、Ｌ型配管がクイックファスナーによって狭持されている状態を上面図によって示す。
【０１０２】
ここでは、取付対象配管５０とＬ型配管６０とがクイックファスナー７０によって接合されている状態を説明する。
【０１０３】
まず、取付対象配管５０の取付円筒部分５１の径方向内側に、Ｌ型配管６０の接続配管部分６１を挿入する。そして、取付対象配管５０の取付接続縁部５７の径方向外縁の位置と、Ｌ型配管６０の曲げ部分８０の曲げ接続縁部８７の曲げ径方向外縁の位置と、を合わせる。
【０１０４】
この状態で、取付対象配管５０の取付接続縁部５７とＬ型配管６０の曲げ部分８０の曲げ接続縁部８７とが、クイックファスナー７０の第１開口７７の内側の縁および第２開口７８の内側の縁によって第１方向Ｌ１から挟まれるように、クイックファスナー７０の第１ガイド７５および第２ガイド７６側から、クイックファスナー７０を取付対象配管５０およびＬ型配管６０側の軸方向中心に向けて差し込む。
【０１０５】
これにより、クイックファスナー７０は、第１円弧部分７３と第２円弧部分７４とが、図２０にＣ１、Ｃ２で示すように、曲げ径方向外側に弾性変形する。このため、クイックファスナー７０は、弾性変形した状態から元に戻ろうとする方向（図２０におけるＦ１、Ｆ２）に力が働き、取付対象配管５０およびＬ型配管６０を曲げ径方向外側から狭持することができる。
【０１０６】
なお、ここで、クイックファスナー７０の第１円弧部分７３および第２円弧部分７４が主として当接しているのは、Ｌ型配管６０の曲げ部分８０の水平位置決め部分８５の曲げ径方向外縁部分である。
【０１０７】
また、Ｌ型配管６０の曲げ部分８０の曲げ接続縁部８７のうち第１方向Ｌ１の上側の面は、クイックファスナー７０の第１開口７７および第２開口７８の上側縁と当接しており、取付対象配管５０の取付接続縁部５７のうち第１方向Ｌ１の下側の面は、クイックファスナー７０の第１開口７７および第２開口７８の下側縁と当接している。これにより、Ｌ型配管６０の曲げ部分８０の曲げ接続縁部８７と、取付対象配管５０の取付接続縁部５７と、は第１方向Ｌ１に互いに離れる方向に向かう動きが規制されている。
【０１０８】
そして、クイックファスナー７０の第１狭持部分７１は、第１平面部分８１と面接触しており、クイックファスナー７０の第２常時部分７２は、第２平面部分８２と面接触している。これにより、クイックファスナー７０の外縁が、連絡配管部分６２の外縁もしくは曲げ部分８０の外縁の湾曲部分に点接触することを防いでおり、接合状態を安定化させている。
【０１０９】
また、Ｌ型配管６０の曲げ部分８０には、曲げ突起部分８９が設けられており、この曲げ突起部分８９がクイックファスナー７０の包囲形状部分７９によって包囲されているため、クイックファスナー７０は、Ｕ字円弧の円心を中心として回転することができないようになっている。
【０１１０】
このようにして、Ｌ型配管６０と取付接続縁部５７とが、クイックファスナー７０によって接合されている。
【０１１１】
＜本実施形態の給湯装置１の特徴について＞
図２４に、従来のＬ形状配管９６０の側面図を示す。図２５に、従来のＬ形状配管９６０の側面視断面図を示す。従来のＬ形状配管９５０では、本実施形態でいう曲げ接続縁部８７と比較対象となる接続縁部９８７は、曲げ部分８０ではなく、本実施形態でいう接続配管部分６１に設けられている。このため、Ｌ形状配管９６０を用いて、配管の接合を行う場合には、第１方向Ｌ１における幅が大きいため、装置自体をコンパクト化させることができていない。
【０１１２】
これに対して、本実施形態の給湯装置１に用いられているＬ型配管６０では、曲げ接続縁部８７が曲げ部分８０に設けられているため、接続配管部分６１を取付対象配管５０に取り付けると、接続配管部分６１からすぐに曲げ部分８０に至り、取付対象配管５０の第１方向Ｌ１上側端部と連絡配管部分６２の下端とが第１方向Ｌ１において略同一の位置にすることができる。これにより、タンクユニット４の第１方向Ｌ１の寸法をコンパクトにすることができている。
【０１１３】
＜変形例＞
以上にこの発明の具体的な実施の形態について説明したが、この発明は上記形態に限定されるものではなく、この発明の範囲内で種々変更して実施することができる。
【０１１４】
（Ａ）
上記実施形態に係る給湯装置１では、略Ｌ字形状であるＬ型配管６０を例に挙げて説明した。
【０１１５】
しかし、本発明はこれに限定されるものではない。例えば、図２１に示すように、略Ｕ字配管であるＵ型配管２６０としてもよい。このＵ型配管２６０は、連絡配管部分２６２の異なる位置から、連絡配管部分２６２に対して略同一方向に、それぞれ接続配管部分２６１および接続配管部分２６３が延びている。この場合でも、上記実施形態における曲げ接続縁部８７に相当する部分を、連絡配管部分２６２の径方向の幅の内側に収めることができ、コンパクトにすることができている。
【０１１６】
（Ｂ）
上記実施形態に係る給湯装置１では、略Ｌ字形状であるＬ型配管６０を例に挙げて説明した。
【０１１７】
しかし、本発明はこれに限定されるものではない。例えば、図２２に示すように、略Ｚ字配管であるＺ型配管３６０としてもよい。このＺ型配管３６０は、連絡配管部分３６２の異なる位置から、連絡配管部分３６２に対して略反対方向に、それぞれ接続配管部分３６１および接続配管部分３６３が延びている。この場合でも、上記実施形態における曲げ接続縁部８７に相当する部分を、連絡配管部分３６２の径方向の幅の内側に収めることができ、コンパクトにすることができている。
【０１１８】
（Ｃ）
上記実施形態に係る給湯装置１では、略Ｌ字形状であるＬ型配管６０を例に挙げて説明した。
【０１１９】
しかし、本発明はこれに限定されるものではない。例えば、図２３に示すように、微小な略Ｌ字配管である微小Ｌ型配管４６０としてもよい。この微小Ｌ型配管４６０は、連絡配管部分４６２から接続配管部分４６１が延びており、連絡配管部分４６２の延長線上の端部に設けられた接続配管部分４６３を有している。この場合でも、上記実施形態における曲げ接続縁部８７に相当する部分を、連絡配管部分４６２の径方向の幅の内側に収めることができ、コンパクトにすることができている。
【０１２０】
（Ｄ）
上記実施形態に係る給湯装置１では、クイックファスナー７０を用いてＬ型配管６０を取付対象配管５０に接合させる場合を例に挙げて説明した。
【０１２１】
しかし、本発明はこれに限定されるものではない。例えば、貯湯タンク３０の上蓋断熱材４５および天板３１によってＬ型配管６０の鉛直方向上側から押し当てて下向きの力を与えるようにして、Ｌ型配管６０を取付対象配管５０に接合してもよい。
【０１２２】
（Ｅ）
上記実施形態に係る給湯装置１では、クイックファスナー７０を用いてＬ型配管６０を取付対象配管５０に接合させる場合を例に挙げて説明した。
【０１２３】
しかし、本発明はこれに限定されるものではない。例えば、Ｌ型配管６０の曲げ接続縁部８７と、取付対象配管５０の取付接続縁部５７と、の重なる部分において鉛直方向にネジを貫通させつつ、螺合することで、Ｌ型配管６０と取付対象配管５０とを接合してもよい。
【０１２４】
（Ｆ）
上記実施形態に係る給湯装置１では、Ｌ型配管６０を給湯装置１の出湯用の配管として採用した場合を例に挙げて説明した。
【０１２５】
しかし、本発明はこれに限定されるものではない。例えば、給湯装置１の冷媒配管として利用してもよい。また、給湯装置１に限られず、空調装置等の冷凍装置において、コンパクト化が求められるものについて、適宜適用してもよい。
【０１２６】
（Ｇ）
上記実施形態およびその変形例として上げた例は、以上の記載を基にして当業者が実施しうる態様にて適宜組み合わせて得られるものも、本発明に含まれる。
【産業上の利用可能性】
【０１２７】
本発明に係る曲げ配管は、取付対象物に対する取り付けに利用される取付形状を有していても、取付位置から曲げ位置までの幅を短くすることが可能なため、例えば、コンパクトに設計される給湯装置の配管として有用である。
【図面の簡単な説明】
【０１２８】
【図１】給湯装置の概略外観斜視図である。
【図２】貯湯ユニットの正面図である。
【図３】貯湯ユニットの側面図である。
【図４】貯湯ユニットの大きさに関する概略上断面である。
【図５】ヒートポンプユニットの正面図である。
【図６】ヒートポンプユニットの側面図である。
【図７】貯湯ユニットの内部に収容されているタンクユニットの外観斜視図である。
【図８】貯湯ユニットの内部構成部品の分解斜視図である。
【図９】Ｌ型配管が貯湯タンクに取り付けられている状態での側面図である。
【図１０】Ｌ型配管が貯湯タンクに取り付けられている状態での上面図である。
【図１１】取付対象配管の形状を示す側面図である。
【図１２】Ｌ型配管の側面図である。
【図１３】Ｌ型配管の上面図である。
【図１４】Ｌ型配管の側面視断面図である。
【図１５】図１３に示すＡ−Ａ断面における側面視断面図である。
【図１６】図１５におけるＢ部分の部分拡大図である。
【図１７】クイックファスナーの外観斜視図である。
【図１８】クイックファスナーの側面図である。
【図１９】クイックファスナーの上面図である。
【図２０】Ｌ型配管がクイックファスナーによって狭持されている状態を示す上面図である。
【図２１】変形例（Ａ）のＬ型配管の側面図である。
【図２２】変形例（Ｂ）のＬ型配管の側面図である。
【図２３】変形例（Ｃ）のＬ型配管の側面図である。
【図２４】従来のＬ形状配管の側面図である。
【図２５】従来のＬ形状配管の側面視断面図である。
【符号の説明】
【０１２９】
１    給湯装置
２    ヒートポンプユニット
３    貯湯ユニット３
３０    貯湯タンク（タンク）
５０    取付対象配管（取付対象物）
５１    取付円筒部分
５７    取付接続縁部（被取付形状）
６０    Ｌ型配管（曲げ配管）
６１    接続配管部分（第１部分）
６２    連絡配管部分（第２部分）
７０    クイックファスナー（接合部材）
７１    第１狭持部分（接合接触部分）
７２    第２狭持部分（接合接触部分）
７３    第１円弧部分（接合接触部分）
７４    第２円弧部分（接合接触部分）
７５    第１ガイド
７６    第２ガイド
７７    第１開口
７８    第２開口
７９    包囲形状部分（接合包囲部）
８０    曲げ部分
８１    第１平面部分（曲げ接触部分）
８２    第２平面部分（曲げ接触部分）
８５    水平位置決め部分（突出部分）
８６    窪み部分（窪み部分）
８７    曲げ接続縁部（取付形状、凸部）
８９    曲げ突起部分（膨出部分）
【図１】
2010071629.tif 000003
【図２】
2010071629.tif 000004
【図３】
2010071629.tif 000005
【図４】
2010071629.tif 000006
【図５】
2010071629.tif 000007
【図６】
2010071629.tif 000008
【図７】
2010071629.tif 000009
【図８】
2010071629.tif 000010
【図９】
2010071629.tif 000011
【図１０】
2010071629.tif 000012
【図１１】
2010071629.tif 000013
【図１２】
2010071629.tif 000014
【図１３】
2010071629.tif 000015
【図１４】
2010071629.tif 000016
【図１５】
2010071629.tif 000017
【図１６】
2010071629.tif 000018
【図１７】
2010071629.tif 000019
【図１８】
2010071629.tif 000020
【図１９】
2010071629.tif 000021
【図２０】
2010071629.tif 000022
【図２１】
2010071629.tif 000023
【図２２】
2010071629.tif 000024
【図２３】
2010071629.tif 000025
【図２４】
2010071629.tif 000026
【図２５】
2010071629.tif 000027